(57)【要約】【課題】受光部を機能させるように設定されているか否かを目視により容易に判断することができる受光装置及びこれを備えた電子機器を提供する。【解決手段】受光装置は、赤外線を受光することによってリモコン信号を受信する受光部５１，５２と、受光部５１，５２で受信したリモコン信号に基づいて所定の制御を行う制御部とを備えており、上記制御を行うために受光部５１，５２を機能させるか否かが設定可能に構成されている。そして、受光装置は、受光部５１を機能させるか否かの設定に応じて発光する発光部６１、受光部５２を機能させるか否かの設定に応じて発光する発光部６２をさらに備えている。【選択図】図１
2011050019.tif 000002
【特許請求の範囲】
【請求項１】
赤外線を受光することによってリモコン信号を受信する受光部と、前記受光部で受信したリモコン信号に基づいて所定の制御を行う制御部とを備え、前記制御を行うために前記受光部を機能させるか否かが設定可能に構成された受光装置において、
前記受光部を機能させるか否かの設定に応じて発光する発光部をさらに備えることを特徴とする受光装置。
【請求項２】
前記受光部を機能させるように設定された場合には、前記発光部が発光し、前記受光部を機能させないように設定された場合には、前記発光部は発光を停止することを特徴とする請求項１に記載の受光装置。
【請求項３】
複数の前記受光部を備え、前記受光部を機能させるか否かの設定が、１つ以上の前記受光部について個別に設定されることを特徴とする請求項１または請求項２に記載の受光装置。
【請求項４】
複数の前記発光部を備え、１つの前記受光部に対して、この受光部を機能させるか否かの設定に応じて発光する前記発光部が１つ以上設けられていることを特徴とする請求項３に記載の受光装置。
【請求項５】
前記発光部の発光を禁止するか否かが設定可能に構成され、
前記発光部の発光を禁止するように設定されている場合には、前記受光部を機能させるか否かの設定に係わらず、前記発光部は発光を停止する
ことを特徴とする請求項１乃至請求項３のいずれか一項に記載の受光装置。
【請求項６】
請求項１乃至請求項５のいずれか一項に記載の受光装置を備えることを特徴とする電子機器。
【請求項７】
受光開口部と発光開口部とが設けられている筐体を備え、
前記受光開口部を通った赤外線を受光するように前記受光部が配設され、この受光部を機能させるか否かの設定に応じて発光する前記発光部が前記発光開口部を通して光を発するように配設され、
前記受光開口部と前記発光開口部とが、前記筐体の有する面であって同一の面において開口するように設けられている
ことを特徴とする請求項６に記載の電子機器。
【発明の詳細な説明】
【技術分野】
【０００１】
本願発明は、遠隔操作機器から送信された赤外線を受光する受光装置及びこれを備えた電子機器に関するものである。
【背景技術】
【０００２】
電子機器の遠隔操作に、赤外線を用いることが広く知られている。具体的には、受光装置を備えた電子機器の遠隔制御を行う際に、電子機器の赤外線受光部に向けて、リモコン装置からリモコン信号を赤外線で送信することが知られている。
【０００３】
また、受光部を機能させるか否かが設定可能に構成された装置が開示されている（例えば、特許文献１、２参照）。このような設定が可能であれば、例えば、赤外線ノイズの影響を受けやすい環境に電子機器が設置された場合に、受光部により受信したリモコン信号を無効化して、受光部を機能させないことにより、望まない電子機器の制御が行われないようにすることができる。
【先行技術文献】
【特許文献】
【０００４】
【特許文献１】特開昭６０−２４６０６１号公報
【特許文献２】特開２００７−２９５３５３号公報
【発明の概要】
【発明が解決しようとする課題】
【０００５】
しかしながら、受光部を機能させる場合と、受光部を機能させない場合における受光装置の外観上の違いは無いため、その受光部を用いて電子機器の遠隔制御できるか否かを、目視で判断することが困難であるという問題があった。
【０００６】
本発明は、こうした実情に鑑みてなされたものであり、その目的は、受光部を機能させるように設定されているか否かを目視により容易に判断することができる受光装置及びこれを備えた電子機器を提供することにある。
【課題を解決するための手段】
【０００７】
以下、上記目的を達成するための手段及びその作用効果について記載する。
請求項１に記載の発明は、赤外線を受光することによってリモコン信号を受信する受光部と、受光部で受信したリモコン信号に基づいて所定の制御を行う制御部とを備え、上記制御を行うために受光部を機能させるか否かが設定可能に構成された受光装置において、受光部を機能させるか否かの設定に応じて発光する発光部をさらに備えることを特徴とする。
【０００８】
上記構成によれば、受光装置は、受光部を機能させるか否かの設定に応じて発光する発光部を備えている。従って、発光部は、受光部を機能させるか否かの設定に連動して発光するため、発光部の発光態様を確認することにより、受光部を機能させるように設定されているか否かを目視により容易に判断することができる。また、この判断は、受光装置が暗い環境において使用される場合であっても、発光部の発光態様を確認することにより行うことができる。よって、暗い環境においても受光部を機能させるように設定されている否かを目視により容易に判断することができる。
【０００９】
請求項２に記載の発明は、請求項１に記載の受光装置であって、受光部を機能させるように設定された場合には、発光部が発光し、受光部を機能させないように設定された場合には、発光部は発光を停止することを特徴とする。
【００１０】
上記構成によれば、受光部を機能させるように設定された場合には、発光部が発光し、受光部を機能させないように設定された場合には、発光部は発光を停止するため、発光部が発光していることを確認することにより、受光部を機能させるように設定されていることを認知することができる。また、発光部を受光部の近傍に設けることにより、受光装置が暗い環境において使用される場合に、発光部を受光部の位置を示す目印とすることが可能となる。
【００１１】
請求項３に記載の発明は、請求項１または請求項２に記載の受光装置であって、複数の受光部を備え、受光部を機能させるか否かの設定が、１つ以上の受光部について個別に設定されることを特徴とする。
【００１２】
上記構成によれば、受光装置は複数の受光部を備えているため、複数の受光部を機能させるように設定されている場合には、１つの受光部を備える場合に比べて、リモコン信号を受信することが可能な範囲を広げることができる。また、上記構成によれば、受光部を機能させるか否かの設定が、１つ以上の受光部について個別に設定される。このため、例えば、赤外線ノイズの影響を受けやすい受光部については、受光部を機能させないように設定するとともに、他の受光部については、受光部を機能させるように設定することにより、赤外線ノイズの影響を受けないようにしながらも、赤外線を用いた遠隔操作ができるように構成することができる。
【００１３】
請求項４に記載の発明は、請求項３に記載の受光装置であって、複数の発光部を備え、１つの受光部に対して、この受光部を機能させるか否かの設定に応じて発光する発光部が１つ以上設けられていることを特徴とする。
【００１４】
上記構成によれば、受光装置は複数の発光部を備え、１つの受光部に対して、この受光部を機能させるか否かの設定に応じて発光する発光部が１つ以上設けられているため、各受光部に対応する発光部を個別に設けることができる。従って、受光部を機能させるか否かの設定が、発光部が発光しているか否かにより示される場合には、各受光部に対応する発光部の発光態様を確認することにより、複数の受光部を機能させるように設定されているか否かを容易に判断することができる。
【００１５】
請求項５に記載の発明は、請求項１乃至請求項３のいずれか一項に記載の受光装置であって、発光部の発光を禁止するか否かが設定可能に構成され、発光部の発光を禁止するように設定されている場合には、受光部を機能させるか否かの設定に係わらず、発光部は発光を停止することを特徴とする。
【００１６】
上記構成によれば、発光部の発光を禁止するように設定されている場合には、受光部を機能させるか否かの設定に係わらず、発光部は発光を停止するため、発光部による発光を停止させたいというユーザの要求に応えることもできる。
【００１７】
請求項６に記載の発明は、請求項１乃至請求項５のいずれか一項に記載の受光装置を備えることを特徴とする。
上記構成によれば、請求項１乃至請求項５のいずれか一項に記載の受光装置を備えるため、リモコン信号により制御される電子機器は、請求項１乃至請求項５のいずれか一項に記載の発明と同様の効果を奏することができる。
【００１８】
請求項７に記載の発明は、請求項６に記載の電子機器であって、受光開口部と発光開口部とが設けられている筐体を備え、受光開口部を通った赤外線を受光するように受光部が配設され、この受光部を機能させるか否かの設定に応じて発光する発光部が発光開口部を通して光を発するように配設され、受光開口部と発光開口部とが、筐体の有する面であって同一の面において開口するように設けられていることを特徴とする。
【００１９】
上記構成によれば、筐体の受光開口部を通った赤外線を受光するように受光部が配設され、この受光部を機能させるか否かの設定に応じて発光する発光部が筐体の発光開口部を通して光を発するように配設されている。そして、受光開口部と発光開口部とが、筐体の有する面であって同一の面において開口するように設けられている。このため、電子機器が暗い環境において使用される場合であっても、発光部が発光することにより、筐体における受光開口部の位置を容易に把握することができる。従って、受光開口部に向けてリモコン信号を適切に送信することができる。
【発明の効果】
【００２０】
本発明によれば、暗い環境においても受光部を機能させるように設定されているか否かを目視により容易に判断することができる。
【図面の簡単な説明】
【００２１】
【図１】（ａ）（ｂ）本発明の実施形態に係る電子機器であるプロジェクタを示す斜視図。
【図２】本発明の実施形態に係るプロジェクタの概略構成を示すブロック図。
【図３】本発明の実施形態において、受光部を機能させるか否かが設定される際のプロジェクタの動作の流れを示すフローチャート。
【図４】図３のステップＳ１において、各受光部を機能させるか否かの情報を取得する際のプロジェクタの動作の流れを示すフローチャート。
【図５】本発明の第１の実施形態において、発光部の発光態様が制御される際のプロジェクタの動作の流れを示すフローチャート。
【図６】ステップＳ２１における、受光部を機能させるか否かの情報に基づき各発光部を制御する際のプロジェクタの動作の流れを示すフローチャート。
【図７】本発明の第２の実施形態において、発光部の発光を禁止するか否かが設定される際のプロジェクタの動作の流れを示すフローチャート。
【図８】本発明の第２の実施形態において、発光部の発光態様が制御される際のプロジェクタの動作の流れを示すフローチャート。
【発明を実施するための形態】
【００２２】
（第１の実施形態）
本発明に係る受光装置及び電子機器を具体化した一実施形態について、図１〜図６を参照しながら説明する。なお、図中の矢印Ａは前後方向を示している。
【００２３】
図１に示すように、本実施形態に係る電子機器は、スクリーンや壁等の平面上に映像を投写して表示することが可能なプロジェクタ１であって、プロジェクタ１は、前方に向けて映像の光を出射するように構成されている。
【００２４】
図１（ａ）及び（ｂ）に示すように、形状が略直方体のプロジェクタ１は、光学部品や電子部品等を収納する筐体１０を備えている。筐体１０は、プロジェクタ１の外部に露出する表面として、前側に設けられた前面１１と、後側に設けられた後面１２と、前面１１と後面１２を接続する側面１３と、プロジェクタ１を支持する面に対して垂直な方向を向く上面１４とを有している。
【００２５】
前面１１には、筐体１０の一部を開口させて形成された受光開口部１１ａ及び発光開口部１１ｂが設けられている。受光開口部１１ａには、赤外線を透過させて可視光線を遮断するカバー１１ｃが設けられており、発光開口部１１ｂには、可視光線を透過させるカバー１１ｄが設けられている。
【００２６】
後面１２には、前面１１と同様に、筐体１０の一部を開口させて形成された受光開口部１２ａ及び発光開口部１２ｂが設けられている。受光開口部１２ａには、赤外線を透過させて可視光線等を遮断するカバー１２ｃが設けられており、発光開口部１２ｂには、可視光線を透過させるカバー１２ｄが設けられている。
【００２７】
以上のように、プロジェクタ１は、受光開口部１１ａ，１２ａと発光開口部１１ｂ，１２ｂとが設けられている筐体１０を備えており、カバー１１ｃ，１１ｄ，１２ｃ，１２ｄにより、映像の画質や輝度を低下させる要因である埃がプロジェクタ１の内部へ入ることを抑制している。
【００２８】
図２に示すように、プロジェクタ１は、映像を投写して表示するための光学部品として、光を発する光源２１と、光源２１からの光を用いて映像を生成する映像生成部２２と、映像を拡大して投写する投写レンズ２３とを備えている。これらの光学部品は筐体１０に収納されており、投写レンズ２３は筐体１０の前側において露出するように設けられている。
【００２９】
光源２１は、映像表示用の光源であって、例えば、超高圧水銀ランプやメタルハライドランプ等の放電ランプにより構成されている。光源２１に電力が供給されることにより、光源２１は映像生成部２２に向けて光を出射する。具体的には、放電ランプにより構成される光源２１は、水銀等が封入された発光管を有しており、発光管の内部の電極間に電圧が印加されることにより、アーク放電によって光源２１は発光する。
【００３０】
映像生成部２２は、例えば、ドットマトリクス型のライトバルブである液晶パネルや、微小鏡を格子状に配列したＤＭＤ（Digital Micromirror Device）を備える装置である。光源２１から出射された光が、液晶パネルを透過したりＤＭＤで反射されたりすることにより、映像生成部２２において映像が生成される。映像生成部２２には映像信号が入力され、入力された映像信号に基づいて液晶パネルやＤＭＤが駆動される。
【００３１】
投写レンズ２３は、映像生成部２２により生成された映像の光を拡大して投写するレンズ群である。投写レンズ２３を用いて映像の光がスクリーンや壁等に向けて投写されることにより、プロジェクタ１はスクリーンや壁等の平面上に映像を投写して表示する。
【００３２】
また、プロジェクタ１は、プロジェクタ１の外部から入力される映像信号に基づいて映像を生成するための部品として、映像信号が入力される映像信号入力部３１と、入力された映像信号に対して種々の信号処理を施す映像信号処理部３２とを備えている。
【００３３】
映像信号入力部３１は、例えば、ＨＤＭＩ端子、ＶＧＡ端子等の端子により構成されている。ＰＣ（Personal Computer）や映像再生機器等の外部機器に接続されたケーブルを映像信号入力部３１と接続することにより、プロジェクタ１に外部機器から映像信号を入力することが可能となる。
【００３４】
映像信号処理部３２は、プロジェクタ１に入力された映像信号に対して種々の信号処理を施す集積回路である。信号処理が施された映像信号は、映像信号処理部３２から映像生成部２２に入力される。
【００３５】
また、プロジェクタ１は、ユーザにより操作される操作部４１と、プログラム等の情報が記憶された記憶部４２と、種々の機能を発揮するためにプロジェクタ１内の各部を制御する制御部４３とを備えている。
【００３６】
操作部４１は、例えば、ユーザにより押されるボタンにより構成されている。操作部４１が操作されることにより操作内容に応じた信号が制御部４３に入力され、制御部４３は、操作部４１の操作内容に応じて動作する。
【００３７】
記憶部４２は、情報の書き込み及び消去が可能な不揮発性のメモリ（例えばフラッシュメモリ）により構成されている。記憶部４２には、制御部４３が実行するプログラム等の情報が予め記憶されており、また、制御部４３の動作に必要な情報が適宜更新されて記憶部４２に記憶される。
【００３８】
制御部４３は、マイコン等の集積回路により構成されている。制御部４３が記憶部４２に記憶されたプログラムを実行することにより、制御部４３は、プログラムに基づく制御信号を出力して、映像信号処理部３２における信号処理の制御や、光源２１に供給される電力の制御や、投写レンズ２３を移動させる制御等の種々の制御を行う。
【００３９】
また、プロジェクタ１は、無線でプロジェクタ１を遠隔制御できるように、赤外線を受光してリモコン信号を受信する受光部５１，５２を備えている。本実施形態においては、プロジェクタ１は複数の受光部５１，５２を備えているため、１つの受光部を備える場合に比べて、リモコン信号を受信することが可能な範囲を広げることができる。
【００４０】
リモコン信号は、プロジェクタ１を遠隔制御するための信号である。このリモコン信号は、プロジェクタ１の遠隔操作機器であるリモコン装置（不図示）から、赤外線で送信される。リモコン装置には、ユーザにより押されるボタン等が設けられており、リモコン装置が操作されることにより操作内容に応じたリモコン信号が、受光部５１や受光部５２から制御部４３に入力され、制御部４３は、リモコン装置の操作内容に応じて動作する。即ち、制御部４３は、記憶部４２に記憶されたプログラムだけではなく、リモコン信号に基づいても種々の制御を行うように構成されている。
【００４１】
受光部５１，５２は、赤外線受光モジュールにより構成される。具体的には、受光部５１は、赤外線を受光する受光素子５１ａを備えており、受光した赤外線が光電変換されて、リモコン信号が電気信号として受光部５１から制御部４３に入力されるように構成されている。同様に、受光部５２は、赤外線を受光する受光素子５２ａを備えており、受光した赤外線が光電変換されて、リモコン信号が電気信号として受光部５２から制御部４３に入力されるように構成されている。
【００４２】
受光素子５１ａ，５２ａは、フォトダイオードにより構成されており、図１に示すように、筐体１０の内部に受光素子５１ａ，５２ａが収納されている。受光素子５１ａは、受光開口部１１ａの近傍に設けられており、受光開口部１１ａを通った赤外線を受光するように受光部５１は設けられている。同様に、受光素子５２ａは、受光開口部１２ａの近傍に設けられており、受光開口部１２ａを通った赤外線を受光するように受光部５２は設けられている。
【００４３】
本実施形態においては、制御部４３がリモコン信号に基づく所定の制御を行うために、受光部５１を機能させるか否かが設定可能に構成されている。即ち、受光装置を構成する制御部４３は、リモコン信号に基づいて種々の制御を行う遠隔制御機能を有しているが、受光部５１を機能させないように設定されることで、受光部５１を用いた遠隔制御機能を機能させないように構成されている。
【００４４】
同様に、本実施形態においては、制御部４３がリモコン信号に基づく所定の制御を行うために、受光部５２を機能させるか否かが設定可能に構成されており、受光部５２を機能させないように設定されることで、受光部５２を用いた遠隔制御機能を機能させないように構成されている。
【００４５】
受光部５１，５２を機能させないように設定すること、即ち、リモコン信号に基づいて種々の制御を行う遠隔制御機能を機能させないようにすることの利点としては、例えば、プロジェクタ１が天井に設けられた場合に、天井に設けられた照明器具から発生する赤外線ノイズの影響を抑制できること等が挙げられる。
【００４６】
本実施形態においては、受光部５１，５２を機能させるか否かの設定が、受光部５１，５２について個別に設定されるように構成されている。従って、受光部５１と受光部５２とを機能させるように設定することも、また受光部５１及び受光部５２のいずれかを機能させるように設定することも、受光部５１と受光部５２とを機能させないように設定することも可能である。
【００４７】
以上のように、プロジェクタ１は、受光部５１，５２等により構成された受光装置を備えている。受光装置は、具体的には、赤外線を受光することによってリモコン信号を受信する受光部５１，５２と、受光部５１，５２で受信したリモコン信号に基づいて所定の制御を行う制御部４３とを備えており、その制御を行うために受光部５１，５２を機能させるか否かが設定可能に構成されている。
【００４８】
受光部５１，５２を機能させるか否かが設定される際のプロジェクタ１の動作の流れを、図３等を参照しながら説明する。図３に示す一連の動作は、操作部４１やリモコン装置が操作されることにより、受光部５１，５２を機能させるか否かの設定を開始するための信号が制御部４３に入力されたことに基づいてスタートする。
【００４９】
図３に示すように、まず、プロジェクタ１は、各受光部５１，５２を機能させるか否かの情報を取得する（ステップＳ１）。具体的には、ステップＳ１においては、操作部４１やリモコン装置が操作されることにより、受光部５１，５２を機能させるか否かがユーザにより選択されるため、制御部４３が、操作部４１やリモコン装置の操作内容に基づき、各受光部５１，５２を機能させるか否かの情報を取得する。
【００５０】
各受光部５１，５２を機能させるか否かの情報を取得するステップＳ１におけるプロジェクタ１の動作の流れを、図４を参照しながらより具体的に説明する。図４に示すように、プロジェクタ１は、まず、受光部５１で受信したリモコン信号を無効化するか否かの情報を取得し（ステップＳ１１）、次いで、受光部５２で受信したリモコン信号を無効化するか否かの情報を取得する（ステップＳ１２）。このようにして、受光部５１，５２を機能させるか否かの設定が、２つの受光部５１，５２について個別に設定される。
【００５１】
なお、「受光部５１で受信したリモコン信号を無効化する」とは、「受光部５１を機能させない」ことを意味し、同様に、「受光部５２で受信したリモコン信号を無効化する」とは、「受光部５２を機能させない」ことを意味する。よって、「受光部５１で受信したリモコン信号を無効化しない」とは、「受光部５１を機能させる」ことを意味し、同様に、「受光部５２で受信したリモコン信号を無効化しない」とは、「受光部５２を機能させる」ことを意味する。
【００５２】
次いで、ステップＳ１を経た後、プロジェクタ１は、ステップＳ１において取得した情報を記憶する（ステップＳ２）。具体的には、ステップＳ２においては、制御部４３が、受光部５１で受信したリモコン信号を無効化するか否かの情報、及び受光部５２で受信したリモコン信号を無効化するか否かの情報を、記憶部４２に記憶させる。
【００５３】
以上のようにして、受光部５１，５２を機能させるか否かの情報が記憶されることによって、受光部５１，５２を機能させるか否かの設定が完了する。受光装置は、受光部５１，５２を機能させるか否かの設定内容に基づいて、遠隔制御機能を発揮する。具体的には、例えば、受光部５１を機能させるように設定されていれば、受光装置は、受光部５１を用いる遠隔制御機能を発揮する。同様に、受光部５２を機能させるように設定されていれば、受光装置は、受光部５２を用いる遠隔制御機能を発揮する。これに対して、受光部５１及び受光部５２の双方を機能させないように設定されていれば、遠隔制御機能が発揮されない。
【００５４】
より具体的には、受光部５１で受信したリモコン信号を無効化するように設定されていれば、受光部５１からリモコン信号が入力された場合であっても、このリモコン信号に基づく制御が禁止され、受光部５１で受信したリモコン信号に基づく制御が行われない。同様に、受光部５２で受信したリモコン信号を無効化するように設定されていれば、受光部５２からリモコン信号が入力された場合であっても、このリモコン信号に基づく制御が禁止され、受光部５２で受信したリモコン信号に基づく制御が行われない。
【００５５】
従って、本実施形態においては、受光部５１で受信したリモコン信号を無効化するか否かが設定されることにより、受光部５１を機能させるか否かが設定される。同様に、受光部５２で受信したリモコン信号を無効化するか否かが設定されることにより、受光部５２を機能させるか否かが設定される。
【００５６】
プロジェクタ１は、暗い環境において使用されることが多く、このような場合、受光部５１，５２を機能さえるように設定されているか否かを目視で判断することができないだけでなく、受光部５１，５２の設けられた箇所が目視により確認することが困難である。
【００５７】
ここで、本実施形態においては、受光装置は、受光部５１を機能させるか否かの設定に応じて発光する発光部６１と、受光部５２を機能させるか否かの設定に応じて発光する発光部６２とを備えている。即ち、受光部５１，５２を機能させるか否かの設定に応じて発光する複数の発光部６１，６２を備えている。
【００５８】
発光部６１，６２は、可視光線を発光するＬＥＤモジュールにより構成される。具体的には、発光部６１は、可視光線を発する発光素子６１ａを備えており、受光部５１を機能させるように設定されているときに、発光部６１から可視光線を発するように構成されている。同様に、発光部６２は、可視光線を発する発光素子６２ａを備えており、受光部５２を機能させるように設定されているときに、発光部６２から可視光線を発するように構成されている。
【００５９】
即ち、発光部６１は、受光装置が受光部５１を用いて遠隔制御機能を発揮する状態であるか否かを示す状態表示部であって、発光部６２は、受光装置が受光部５２を用いて遠隔制御機能を発揮する状態であるか否かを示す状態表示部である。本実施形態においては、１つの受光部５１に対して、この受光部５１を機能させるか否かの設定に応じて発光する発光部６１が、受光部５１の近傍に１つ設けられており、同様に、１つの受光部５２に対して、この受光部５２を機能させるか否かの設定に応じて発光する発光部６２が、受光部５２の近傍に１つ設けられている。
【００６０】
発光素子６１ａ，６２ａは、発光ダイオードにより構成されており、図１に示すように、筐体１０の内部に発光素子６１ａ，６２ａが収納されている。発光素子６１ａは、発光開口部１１ｂの近傍に設けられており、発光部６１が発光開口部１１ｂを通して光を発するように配設されている。同様に、発光素子６２ａは、発光開口部１２ｂの近傍に設けられており、発光部６２が発光開口部１２ｂを通して光を発するように配設されている。
【００６１】
受光部５１，５２を機能させるか否かの設定に応じて発光する発光する発光部６１，６２は、制御部４３により制御される。即ち、制御部４３によって、発光部６１，６２の発光態様が制御される構成となっている。
【００６２】
発光部６１，６２の発光態様が制御される際のプロジェクタ１の動作の流れを、図５等を参照しながら説明する。図５に示す動作は、プロジェクタ１が電源オンになったことや、受光部５１，５２を機能させるか否かの設定が完了したことに基づいてスタートする。
【００６３】
図５に示すように、プロジェクタ１は、受光部５１，５２を機能させるか否かの情報に基づき各発光部６１，６２を制御する（ステップＳ２１）。具体的には、ステップＳ２１においては、制御部４３が、ステップＳ１において取得した情報に基づき、各発光部６１，６２の発光態様を制御する。各発光部６１，６２を制御するステップＳ２１におけるプロジェクタ１の動作の流れを、図６を参照しながらより具体的に説明する。
【００６４】
図６に示すように、まず、プロジェクタ１は、受光部５１で受信したリモコン信号を無効化するか否かを判断する（ステップＳ３１）。具体的には、ステップＳ３１においては、制御部４３が、ステップＳ２において記憶された情報に基づき、受光部５１で受信したリモコン信号を無効化するか否かを判断する。なお、ユーザによる受光部５１を機能させるか否かの設定が完了していない場合、即ち、図３で示す一連の動作をプロジェクタ１が行っていない場合には、受光部５１で受信したリモコン信号を無効化しないと判断される。
【００６５】
受光部５１で受信したリモコン信号を無効化するとステップＳ３１において判断された場合には、プロジェクタ１は発光部６１を消灯する（ステップＳ３２）。即ち、ステップＳ３２においては、発光部６１が発光していなければ、発光部６１が発光していない状態が維持され、発光部６１が発光していれば、制御部４３が発光部６１の発光を停止させる。
【００６６】
一方、受光部５１で受信したリモコン信号を無効化しないとステップＳ３１において判断された場合には、プロジェクタ１は発光部６１を点灯する（ステップＳ３３）。即ち、ステップＳ３３においては、発光部６１が発光していれば、発光部６１が発光している状態が維持され、発光部６１が発光していなければ、制御部４３が発光部６１を発光させる。
【００６７】
次いで、プロジェクタ１は、受光部５２で受信したリモコン信号を無効化するか否かを判断する（ステップＳ３４）。具体的には、ステップＳ３４においては、制御部４３が、ステップＳ２において記憶された情報に基づき、受光部５２で受信したリモコン信号を無効化するか否かを判断する。なお、ユーザによる受光部５２を機能させるか否かの設定が完了していない場合、即ち、上記図３で示す一連の動作をプロジェクタ１が行っていない場合には、受光部５２で受信したリモコン信号を無効化しないと判断される。
【００６８】
受光部５２で受信したリモコン信号を無効化するとステップＳ３４において判断された場合には、プロジェクタ１は発光部６２を消灯する（ステップＳ３５）。即ち、ステップＳ３５においては、発光部６２が発光していなければ、発光部６２が発光していない状態が維持され、発光部６２が発光していれば、制御部４３が発光部６２の発光を停止させる。
【００６９】
一方、受光部５２で受信したリモコン信号を無効化しないとステップＳ３４において判断された場合には、プロジェクタ１は発光部６２を点灯する（ステップＳ３６）。即ち、ステップＳ３６においては、発光部６２が発光していれば、発光部６２が発光している状態が維持され、発光部６２が発光していなければ、制御部４３が発光部６２を発光させる。
【００７０】
以上のように、受光部５１を機能させるように設定されている場合には、発光部６１が発光し、受光部５１を機能させないように設定されている場合には、発光部６１は発光を停止するように構成されている。同様に、受光部５２を機能させるように設定されている場合には、発光部６２が発光し、受光部５２を機能させないように設定されている場合には、発光部６２は発光を停止するように構成されている。
【００７１】
本実施形態によれば、以下の作用効果を得ることができる。
（１）受光装置は、受光部５１を機能させるか否かの設定に応じて発光する発光部６１を備えている。従って、発光部６１は、受光部５１を機能させるか否かの設定に連動して発光するため、発光部６１の発光態様を確認することにより、受光部５１を機能させるように設定されているか否かを目視により容易に判断することができる。また、この判断は、受光装置が暗い環境において使用される場合であっても、発光部６１の発光態様を確認することにより行うことができる。よって、暗い環境においても受光部５１を機能させるように設定されている否かを目視により容易に判断することができる。同様に、受光装置は、受光部５２を機能させるか否かの設定に応じて発光する発光部６２を備えているため、暗い環境においても受光部５２を機能させるように設定されている否かを目視により容易に判断することができる。
【００７２】
（２）受光部５１を機能させるように設定された場合には、発光部６１が発光し、受光部５１を機能させないように設定された場合には、発光部６１は発光を停止するため、発光部６１が発光していることを確認することにより、受光部５１を機能させるように設定されていることを認知することができる。また、発光部６１を受光部５１の近傍に設けることにより、受光装置が暗い環境において使用される場合に、発光部６１を受光部５１の位置を示す目印とすることが可能となる。同様に、受光部５２を機能させるように設定された場合には、発光部６２が発光し、受光部５２を機能させないように設定された場合には、発光部６２は発光を停止するため、発光部６２が発光していることを確認することにより、受光部５２を機能させるように設定されていることを認知することができる。また、受光装置が暗い環境において使用される場合に、発光部６２を受光部５２の位置を示す目印とすることが可能となる。その結果、リモコン装置を用いたプロジェクタ１の遠隔操作を行う際の操作性を向上させることができる。
【００７３】
（３）受光部５１，５２を機能させるか否かの設定が、２つの受光部５１，５２について個別に設定される。このため、赤外線ノイズの影響を受けやすい受光部５１については、受光部５１を機能させないように設定するとともに、受光部５２については、受光部５２を機能させるように設定することにより、赤外線ノイズの影響を受けないようにしながらも、赤外線を用いた遠隔操作ができるように構成することができる。
【００７４】
（４）１つの受光部５１に対して、この受光部５１を機能させるか否かの設定に応じて発光する発光部６１が１つ設けられている。同様に、１つの受光部５２に対して、この受光部５２を機能させるか否かの設定に応じて発光する発光部６２が１つ設けられている。このため、各受光部５１，５２に対応する発光部６１，６２を個別に設けることができる。従って、受光部５１，５２を機能させるか否かの設定が、発光部６１，６２が発光しているか否かにより示される場合には、各受光部５１，５２に対応する発光部６１，６２の発光態様を確認することにより、複数の受光部５１，５２を機能させるように設定されているか否かを容易に判断することができる。
【００７５】
（５）プロジェクタ１は、上記構成の受光装置を備えるため、リモコン信号により制御されるプロジェクタ１は、受光装置により得られる上述した効果と同様の効果を奏することができる。
【００７６】
（６）受光開口部１１ａを通った赤外線を受光するように受光部５１が配設され、この受光部５１を機能させるか否かの設定に応じて発光する発光部６１が発光開口部１１ｂを通して光を発するように配設され、受光開口部１１ａと発光開口部１１ｂとが、筐体１０の有する面であって同一の面（即ち、前面１１）において開口するように設けられている。即ち、筐体１０の受光開口部１１ａを通った赤外線を受光するように受光部５１が配設され、この受光部５１を機能させるか否かの設定に応じて発光する発光部６１が筐体１０の発光開口部１１ｂを通して光を発するように配設されている。そして、受光開口部１１ａと発光開口部１１ｂとが、前面１１において開口するように設けられている。このため、プロジェクタ１が暗い環境において使用される場合であっても、発光部６１が発光することにより、筐体１０における受光開口部１１ａの位置を容易に把握することができる。従って、受光開口部１１ａに向けてリモコン信号を適切に送信することができる。また、受光開口部１２ａを通った赤外線を受光するように受光部５２が配設され、この受光部５２を機能させるか否かの設定に応じて発光する発光部６２が発光開口部１２ｂを通して光を発するように配設され、受光開口部１２ａと発光開口部１２ｂとが、筐体１０の有する面であって同一の面（即ち、後面１２）において開口するように設けられている。このため、プロジェクタ１が暗い環境において使用される場合であっても、発光部６２が発光することにより、筐体１０における受光開口部１２ａの位置を容易に把握することができる、受光開口部１２ａに向けてリモコン信号を適切に送信することができる。その結果、リモコン装置によるプロジェクタ１の操作性を向上することができる。
【００７７】
（第２の実施形態）
次に、本発明の第２の実施形態について説明する。本実施形態に係る電子機器は、図１及び図２で示す第１の実施形態のプロジェクタ１と同様の構成であり、第１の実施形態と第２の実施形態とにおいて共通の構成については同じ符号を付し、その説明を省略する。
【００７８】
また、受光部５１，５２を機能させるか否かが設定される際のプロジェクタ１の動作の流れは、第１の実施形態において図３等を参照しながら説明した流れと同じであるため、その説明を省略する。
【００７９】
本実施形態に係る受光装置は、受光部５１，５２を機能させるか否かの設定に係わらず、発光部６１，６２の発光態様を制御できるように構成されている。具体的には、発光部６１，６２を強制的に消灯させるか否か、即ち発光部６１，６２の発光を禁止するか否かが設定可能に構成されている。
【００８０】
発光部６１，６２を強制的に消灯させるか否かが設定される際のプロジェクタ１の動作の流れを、図７を参照しながら説明する。図７に示す一連の動作は、操作部４１やリモコン装置が操作されることにより、発光部６１，６２を強制的に消灯させるか否かの設定を開始するための信号が制御部４３に入力されたことに基づいてスタートする。
【００８１】
図７に示すように、まず、プロジェクタ１は、発光部６１，６２を強制的に消灯させるか否かの情報を取得する（ステップＳ４１）。具体的には、ステップＳ４１においては、操作部４１やリモコン装置が操作されることにより、受光部５１，５２を機能させるか否かの設定に係わらず発光部６１，６２を消灯させるか否かがユーザにより選択されるため、制御部４３が、操作部４１やリモコン装置の操作内容に基づき、発光部６１，６２の発光を禁止するか否かの情報を取得する。
【００８２】
次いで、プロジェクタ１は、ステップＳ４１において取得した情報を記憶する（ステップＳ４２）。具体的には、ステップＳ４２においては、制御部４３が、発光部６１，６２を強制的に消灯させるか否かの情報、即ち、発光部６１，６２の発光を禁止するか否かの情報を、記憶部４２に記憶させる。
【００８３】
以上のようにして、発光部６１，６２の発光を禁止するか否かの情報が記憶されることによって、発光部６１，６２を強制的に消灯させるか否かの設定が完了する。本実施形態においては、受光部５１，５２を機能させるか否かの設定だけでなく、発光部６１，６２を強制的に消灯させるか否かの設定に基づき、制御部４３によって、発光部６１，６２の発光態様が制御される構成となっている。
【００８４】
本実施形態において発光部６１，６２の発光態様が制御される際のプロジェクタ１の動作の流れを、図８を参照しながら説明する。図８に示す動作は、プロジェクタ１が電源オンになったこと、受光部５１，５２を機能させるか否かの設定が完了したこと、または発光部６１，６２を強制的に消灯させるか否かの設定が完了したことに基づいてスタートする。
【００８５】
図８に示すように、まず、プロジェクタ１は、発光部６１，６２を強制的に消灯させるか否かを判断する（ステップＳ５１）。具体的には、ステップＳ５１においては、制御部４３が、ステップＳ４２において記憶された情報に基づき、発光部６１，６２の発光を禁止するか否かを判断する。なお、ユーザによる発光部６１，６２を強制的に消灯させるか否かの設定が完了していない場合、即ち、図７で示す一連の動作をプロジェクタ１が行っていない場合は、発光部６１，６２を強制的に消灯させないと判断される。
【００８６】
発光部６１，６２を強制的に消灯させない、即ち、発光部６１，６２の発光を禁止しないとステップＳ５１において判断された場合には、プロジェクタ１は、受光部５１，５２を機能させるか否かの情報に基づき各発光部６１，６２を制御する（ステップＳ２１）。ステップＳ２１におけるプロジェクタ１の動作は、図４を参照しながら説明した第１の実施形態に係る動作と同じであるため、その説明を省略する。
【００８７】
一方、発光部６１，６２を強制的に消灯させる、即ち、発光部６１，６２の発光を禁止するとステップＳ５１において判断された場合には、プロジェクタ１は全ての発光部６１，６２を消灯する（ステップＳ５２）。即ち、ステップＳ５２においては、受光部５１，５２を機能させるか否かの設定に係わらず、発光部６１，６２が発光していなければ、発光部６１，６２が発光していない状態が維持され、発光部６１，６２が発光していれば、発光部６１，６２の発光を停止させる。
【００８８】
以上のように、発光部６１，６２の発光を禁止するように設定されている場合には、受光部５１，５２を機能させるか否かの設定に係わらず、発光部６１，６２は発光を停止するように構成されている。
【００８９】
本実施形態によれば、上記（１）〜（６）に記載の効果に加えて、以下の作用効果を得ることができる。
（７）発光部６１の発光を禁止するか否かが設定可能に構成され、発光部６１の発光を禁止するように設定されている場合には、受光部５１を機能させるか否かの設定に係わらず、発光部６１は発光を停止するため、発光部６１による発光を停止させたいというユーザの要求に応えることもできる。同様に、発光部６２の発光を禁止するか否かが設定可能に構成され、発光部６２の発光を禁止するように設定されている場合には、受光部５２を機能させるか否かの設定に係わらず、発光部６２は発光を停止するため、発光部６２による発光を停止させたいというユーザの要求に応えることもできる。
【００９０】
なお、本発明は、上記実施形態に限定されるものではなく、本発明の趣旨に基づいて種々の設計変更をすることが可能であり、それらを本発明の技術的範囲から除外するものではない。例えば、上記実施形態を以下のように変更することもできる。
【００９１】
・受光部５１でのリモコン信号の受信を可能にするか否かが設定され、受光部５１でのリモコン信号の受信を不可能にするように設定されている場合に、受光部５１からリモコン信号が制御部４３に入力されないように構成してもよい。この場合、「受光部５１でのリモコン信号の受信を不可能にする」とは、「受光部５１を機能させない」ことを意味し、「受光部５１でのリモコン信号の受信を可能にする」とは、「受光部５１を機能させる」ことを意味する。
【００９２】
・受光部５２でのリモコン信号の受信を可能にするか否かが設定され、受光部５２でのリモコン信号の受信を不可能にするように設定されている場合に、受光部５２からリモコン信号が制御部４３に入力されないように構成してもよい。この場合、「受光部５２でのリモコン信号の受信を不可能にする」とは、「受光部５２を機能させない」ことを意味し、「受光部５２でのリモコン信号の受信を可能にする」とは、「受光部５２を機能させる」ことを意味する。
【００９３】
即ち、受光部５１でのリモコン信号の受信を可能にするか否かが設定されることにより、受光部５１を機能させるか否かが設定されてもよく、同様に、受光部５２でのリモコン信号の受信を可能にするか否かが設定されることにより、受光部５２を機能させるか否かが設定されてもよい。
【００９４】
従って、請求項に記載の「受光部を機能させるか否か」とは、「受光部で受信した信号を無効化するか否か」及び「受光部での信号の受信を可能にするか否か」の双方の意味を含む。具体的には、「受光部を機能させない」とは、「受光部で受信した信号を無効化する」こと、または「受光部での信号の受信を不可能にする」ことを意味し、「受光部を機能させる」とは、「受光部で受信した信号を無効化しない」こと、または「受光部での信号の受信を可能にする」ことを意味する。
【００９５】
・受光開口部１１ａ、発光開口部１１ｂ、受光開口部１２ａ、発光開口部１２ｂが設けられている位置を適宜変更してもよい。即ち、受光開口部及び発光開口部の位置は、前面１１や後面１２に限られず、側面１３や上面１４において開口するように設けられていてもよい。
【００９６】
・受光開口部の位置の変更に応じて、受光部５１，５２の配置を適宜変更してもよい。同様に、発光開口部の位置の変更に応じて、発光部６１，６２の配置を適宜変更してもよい。
【００９７】
・受光開口部と発光開口部とが、筐体１０の有する面であって互いに異なる面において開口するように設けることもできる。例えば、受光開口部が、筐体１０の前面１１及び後面１２に開口するように設けられ、発光開口部が、筐体１０の側面１３または上面１４に開口するように設けられていてもよい。
【００９８】
・受光装置が備える受光部５１，５２の個数は２つに限られず、１つの受光部、または３つ以上の受光部を備えるように受光装置が構成されていてもよい。即ち、受光装置は、１つ以上の受光部を備えていればよい。
【００９９】
・受光装置が備える発光部６１，６２の個数は２つに限られず、１つの発光部、または３つ以上の発光部を備えるように受光装置が構成されていてもよい。即ち、受光装置は、１つ以上の発光部を備えていればよい。
【０１００】
・１つの受光部に対して、この受光部を機能させるか否かの設定に応じて発光する発光部が１つ以上設けることもできる。また、受光部を機能させるか否かの設定が、１つ以上の受光部について一括で設定されるように構成することもできる。
【０１０１】
・受光部を機能させるか否かの設定が、複数の受光部のうち全ての受光部について設定されなくてもよい。即ち、受光装置は、機能させるか否かが設定不可能に構成された受光部を備えていてもよい。
【０１０２】
・受光部を機能させるか否かの設定に応じて発光する発光部は、その設定を発光部の点灯または消灯の発光態様で示すだけでなく、発光部が発光する色や、所定時間間隔で点滅する等のその他の発光態様により示すこともできる。
【０１０３】
・受光装置を備える電子機器はプロジェクタ１に限られず、テレビ受信装置、カーナビゲーション装置、及び音響機器等の電子機器が本発明に係る受光装置を備えていてもよい。
【符号の説明】
【０１０４】
１…プロジェクタ（電子機器）、１０…筐体、１１…前面、１１ａ…受光開口部，１１ｂ…発光開口部、１１ｃ，１１ｄ…カバー、１２…後面、１２ａ…受光開口部，１２ｂ…発光開口部、１２ｃ，１２ｄ…カバー、１３…側面、１４…上面、２１…光源、２２…映像生成部、２３…投写レンズ、３１…映像信号入力部、３２…映像信号処理部、４１…操作部、４２…記憶部、４３…制御部、５１，５２…受光部、５１ａ，５２ａ…受光素子、６１，６２…発光部、６１ａ，６２ａ…発光素子、Ａ…前後方向。
【図１】
2011050019.tif 000003
【図２】
2011050019.tif 000004
【図３】
2011050019.tif 000005
【図４】
2011050019.tif 000006
【図５】
2011050019.tif 000007
【図６】
2011050019.tif 000008
【図７】
2011050019.tif 000009
【図８】
2011050019.tif 000010